(57)【特許請求の範囲】
【請求項１】
略中央部に配設された調整部により長さが調整される１本の紐状体と、この紐状体の両端部に固着された固着クリップと、上記紐状体が挿通される挿通孔を備えた遊動クリップとを備え、
上記遊動クリップが上記固着クリップと上記調整部との間の夫々で上記紐状体が上記挿通孔に挿通され遊動自在に形成されて、椅子にシート状体を固定することを特徴とする椅子用シート状体固定具。
【発明の詳細な説明】
【技術分野】
【０００１】
本発明は、シート状体を人体に固定するための、固定具に関するものである。
【背景技術】
【０００２】
従来、シート状体を人体に固定する固定具として、例えば特許文献１、特開２００２−２４２０１０号公報に開示されている。また、帽子を保持する固定具として、例えば特許文献２、登録実用新案第３０３３２４７号公報に開示されている。
【先行技術文献】
【特許文献】
【０００３】
【特許文献１】特開２００２−２４２０１０号公報
【特許文献２】登録実用新案第３０３３２４７号公報
【発明の概要】
【発明が解決しようとする課題】
【０００４】
上記特許文献１に開示されているシート状体を人体に固定する固定具の場合、シート状体及び人体のサイズ、形状により、専用のサイズの固定具を用意しなければならないという課題があった。また、特許文献２に開示されている帽子を保持する固定具の場合、シート状体を人体に固定するには、前記固定具が2個以上必要であり、シート状体及び人体のサイズ、形状により、それぞれの長さを調整しなければならないという課題があった。
【０００５】
本発明は、上記のような問題点を解決するためになされたもので、1本の紐状体で1体化された４個のクリップで、シート状体を挟持し、1か所の長さ調整部で、紐状体の長さを調整することにより、シート状体及び人体の多様なサイズ、形状に容易に対応し、固定することを目的とする。
【課題を解決するための手段】
【０００６】
調整部により長さが調整される輪状の紐状体と、上記紐状体が挿通される挿通孔を備えた4個の遊動クリップとを備え、上記紐状体が上記遊動クリップの挿通孔に挿通されて、上記遊動クリップが遊動自在に形成したものである。
【０００７】
また、略中央部に配設された調整部により長さが調整される1本の紐状体と、上記紐状体の両端部に固着された固着クリップとを備え、上記紐状体が挿通される挿通孔を備えた遊動クリップが上記固着クリップと上記調整部との間の夫々で上記紐状体が上記挿通孔に挿通されて、遊動自在に形成したものである。
【発明の効果】
【０００８】
本発明により、クリップでシート状体を挟持し、1か所の長さ調整部で、紐状体の長さを調整することにより、シート状体及び人体の多様なサイズ、形状に容易に対応でき、固定することができる。また、人体以外、たとえば椅子などにもシート状体を固定できる。
【図面の簡単な説明】
【０００９】
【図１】図１は本発明の実施例１にかかる固定具の構成図である。（実施例１）
【図２】図２は図１の固定具の配置例を示す図である。（実施例１）
【図３】図３は本発明の実施例１にかかる、シート状体を人体に固定した場合の（イ）正面、（ロ）側面、（ハ）背面図である。（実施例１）
【図４】図４は本発明の実施例１にかかる、シート状体を椅子に固定した場合の（イ）正面、（ロ）側面、（ハ）背面図である。（実施例１）
【図５】図５は本発明の実施例２にかかる固定具の構成図である。（実施例２）
【図６】図６は図５の固定具の配置例を示す図である。（実施例２）
【発明を実施するための形態】
【実施例１】
【００１０】
図１は、本発明の実施例１にかかる固定具８の構成図を示し、図２は図１の固定具８の配置例を示す。固定具８は、輪状の紐状体５とこの紐状体５を挿通した、紐止め４、コードストッパー３を備え、さらに、この紐状体５が挿通され、紐状体５の長さ方向に遊動可能な遊動クリップ１を備える。遊動クリップ１は、紐状体５を挿通可能な挿通孔１aを備える。
【００１１】
遊動クリップ１側の紐状体５の長さは、コードストッパー３の調整ノブ３ａを押してコードストッパー３を摺動することにより調整することができる。紐止め４は紐状体５がコードストッパー３から抜けるのを防止する。
【００１２】
図３は、本発明の実施例１にかかる、シート状体６を人体に固定具８で固定した場合の正面、側面、背面図である。図４は、本発明の実施例１にかかる、シート状体６を椅子７に固定具８で固定した場合の正面、側面、背面図である。
【００１３】
固定具８の遊動クリップ１で、シート状体６の上側の左右及び下側の左右を挟持し、コードストッパー３の調整ノブ３aを押して、コードストッパー３を摺動して紐状体５の長さを調整し、人体にシート状体６を固定する。以上のように構成された本発明による実施の形態にかかる固定具８によれば、遊動クリップ１でシート状体６を挟持し、1か所の長さ調整部で、紐状体５の長さを調整することにより、シート状体６及び人体の多様なサイズ、形状に容易に対応でき、固定することができる。また人体以外、たとえば椅子７などにも、容易にシート状体６を固定できる。シート状体を固定するときの遊動クリップ１の位置は、図3、図４のように紐状体を×状にしても良く、また○状（図１に示す）にしても良い。
【００１４】
また、遊動クリップ１、固着クリップ２は、例えばロックするサスペンダータイプのクリップを用いれば、より強固に固定できる。紐状体５は、繊維をより合わせた紐や、編んだ紐、伸縮性のある紐、樹脂製、ゴム製、金属製の紐を含む。シート状体６は、糸を織った布、不織布、タオル、毛布、樹脂製のシート、紙などを含む。椅子７は、座椅子、ソファー、自動車の座席なども含む。
【実施例２】
【００１５】
図５は、本発明の実施例２にかかる固定具９の構成図を示し、図６は図５の固定具９の配置例を示す。固定具９は、紐状体５と、紐状体５を挿通した、紐止め４、コードストッパー３を備え、さらに、紐状体５の両端に固着された固着クリップ２と、紐状体５が挿通され、紐状体５の長さ方向に遊動可能な遊動クリップ１を備える。遊動クリップ１は、紐状体５を挿通可能な挿通孔１aを備える。
【００１６】
固定具９の遊動クリップ１でシート状体６の下側の左右、固着クリップ２で、シート状体６の上側の左右を挟持し、コードストッパー３を介して、紐状体５の長さを調整し人体に、シート状体６を固定する。以上により構成された本発明による実施の形態にかかる固定具９によれば、遊動クリップ１及び固着クリップ２でシート状体６を挟持し、1か所の長さ調整部で、紐状体５の長さを調整することにより、シート状体６及び人体の多様なサイズ、形状に容易に対応でき、固定することができる。また人体以外、たとえば椅子７などにも、容易にシート状体６を固定できる。シート状体６を固定するときの遊動クリップ１、固着クリップ２の位置は、紐状体５を図５のようにＵ字状にしても良く、図６の様にＸ字状にしても良い。
【符号の説明】
【００１７】
１    遊動クリップ
１ａ  挿通孔
２    固着クリップ
３    コードストッパー
３ａ  調整ノブ
４    紐止め
５    紐状体
６    シート状体
７    椅子
８    固定具
９    固定具
【要約】
【課題】従来のシート状体の固定具は、シート状体及び人体のサイズ、形状により、専用のサイズの固定具を用意しなければならないという課題があった。
【解決手段】調整部により長さが調整される輪状の紐状体と、上記紐状体が挿通される挿通孔を備えた4個の遊動クリップとを備え、上記紐状体が上記遊動クリップの挿通孔に挿通されて、上記遊動クリップが遊動自在に形成させているようにした。また、略中央部に配設された調整部により長さが調整される1本の紐状体と、上記紐状体の両端部に固着された固着クリップとを備え、上記紐状体が挿通される挿通孔を備えた遊動クリップが上記固着クリップと上記調整部との間の夫々で上記紐状体が上記挿通孔に挿通されて、遊動自在に形成させているようにした。
【選択図】図３【図１】
0005802975.tif 000002
【図２】
0005802975.tif 000003
【図３】
0005802975.tif 000004
【図４】
0005802975.tif 000005
【図５】
0005802975.tif 000006
【図６】
0005802975.tif 000007